(57)【要約】【課題】本発明は、生垣等の中に生えているススキ、茅、篠竹等宿根性植物等の雑草のみに除草剤を安全にかつ容易に塗布することのできる除草剤塗布器を提供することを目的とする。【解決手段】本発明の除草剤塗布器は、第１支持杆１１と第２支持杆１２とを軸１３で枢支して、第１支持杆１１と第２支持杆１２とが所定範囲で揺動自在に構成し、該第１支持杆１１と第２支持杆１２とのそれぞれの先端部に、塗布ローラ２１，２２を回転自在に支承し、薬液供給手段である往復ポンプ５によって薬液タンク７から塗布ローラ２１，２２に除草剤を供給し、塗布ローラ２１，２２によって雑草を挟み、塗布ローラ２１，２２を引き上げることにより雑草に除草剤を塗布し、雑草を枯死させる。【選択図】図１
2007117010.tif 000002
【特許請求の範囲】
【請求項１】
一対の支持杆を所定範囲で揺動自在に枢支し、該支持杆のそれぞれの先端部に、塗布部材を支承し、薬液供給手段によって薬液タンクから塗布部材に除草剤を供給し、塗布部材によって雑草を挟んで雑草に除草剤を塗布することを特徴とする除草剤塗布器。
【請求項２】
前記支持杆は、その後端部で枢支されていて、支持杆の中間部に把持部が設けられている請求項１記載の除草剤塗布器。
【請求項３】
前記支持杆は、中間部で枢支されていて、支持杆の後端部に把持部が設けられている請求項１記載の除草剤塗布器。
【請求項４】
前記塗布部材、回転する塗布ローラである請求項１乃至３のいずれか一項に記載の除草剤塗布器。
【請求項５】
前記薬液供給手段は、往復ポンプである請求項１乃至４のいずれか一項に記載の除草剤塗布器。
【請求項６】
前記薬液供給手段は、電動ポンプである請求項１乃至４のいずれか一項に記載の除草剤塗布器。
【発明の詳細な説明】
【技術分野】
【０００１】
本発明は、雑草を除去するために雑草に除草剤を塗布する除草剤塗布器に関するものである。
【背景技術】
【０００２】
従来、雑草を除去するには噴霧器によって除草剤を散布するか、鎌や刈り払い機等によって雑草を刈り取っていた。
【０００３】
しかし、雑草を刈り取っただけではまたすぐに雑草が生えてくるし、また、噴霧器によって除草剤を雑草に噴霧すると近くで作物を栽培している場合には、除草剤が栽培している作物にもかかってしまい作物が枯れる等の欠点があった。
【０００４】
そこで、ローラの外周面に塗布層を被着し、その塗布層に除草剤を含ませ、ローラによって雑草に除草剤を塗布する除草ローラ器具がある（特許文献１）が、この除草ローラ器具はあぜ道や庭等に生えている雑草には除草剤を塗布することができるが、生垣等の中に生えているススキ、茅、篠竹等の雑草には塗布することはできない。
【０００５】
そこで、生け垣内にススキ、茅、篠竹等宿根性の植物が雑草として混在している場合、宿根性植物は剪定しても、剪定後の再成長が生け垣の植物よりも早いため剪定効果が持続しない。また、生け垣の中では通常の除草剤散布方法で宿根性植物だけを枯らすことは困難であり、宿根性植物の根を掘り上げて除去することは非常に多くの労力を要し容易でない。
【０００６】
そこで、宿根草の植物の除去に当たっては、手にビニール手袋をし、その上に軍手をはめ、噴霧器で噴霧するものよりは濃い除草剤を軍手に含ませて葉に塗り付けていた。しかし笹竹や篠竹等を枯死させるには除草剤を十分に塗りつける必要があり、手間と時間がかかるたけでなく、手や身体に除草剤が付く危険があった。そのため、安全で省力的な宿根性植物を除去することができる機械・器具の開発が望まれていた。
【０００７】
【特許文献１】特開平１１−２２０９９４号公報
【発明の開示】
【発明が解決しようとする課題】
【０００８】
本発明は、上記のような事情に鑑みてなされたものであり、安全にかつ容易に雑草のみに除草剤を連続して塗布することができ、生垣、芝生、グリーンベルト等の中に生えているススキ、茅、篠竹等宿根性植物等の雑草のみに除草剤を塗布することのできる除草剤塗布器を提供することを目的とする。
【課題を解決するための手段】
【０００９】
本発明による除草剤塗布器は、一対の支持杆を所定範囲で揺動自在に枢支し、該支持杆のそれぞれの先端部に、塗布部材を支承し、薬液供給手段によって薬液タンクから塗布部材に除草剤を供給し、塗布部材によって雑草を挟んで雑草に除草剤を塗布する除草剤塗布器であり、一対の支持杆は、所定範囲で揺動自在であればその枢支点は後端でも中間部に位置していても良い。
【００１０】
また、塗布部材を回転する塗布ローラとすると、少ない力で雑草に除草剤を塗布することができる。
そして、薬液供給手段は、薬液タンクから塗布部材に除草剤を送り出すことができれば、作業者が把持部を持って支持杆を揺動することによって作動される往復ポンプでも、電動モータによって駆動されるポンプでも良い。
【００１１】
本発明による除草剤塗布器は、生垣等から伸びる、ススキ、茅、篠竹等の雑草を塗布部材で挟み付け、塗布部材を、雑草を挟み付けた状態で上に持ち上げることにより、雑草のみに除草剤を容易にしかも安全に塗布することができるものである。
【発明の効果】
【００１２】
本発明によれば、生垣等の中に生えているススキ、茅、篠竹等の宿根性植物に除草剤を確実にしかも容易に塗布することができ、生垣等の中に生えているススキ、茅、篠竹等の宿根性植物を枯れさせて容易に除去することができる。さらに、作業者は、塗布作業中に除草剤が手に付着することがなく、また、従来の噴霧作業のように噴霧された除草剤を吸い込むこともなく、安全に除草剤を雑草のみに塗布することができる。
【発明を実施するための最良の形態】
【００１３】
図１は本発明の第１の実施形態に係る除草剤塗布器の全体構成を示す概略図であり、図２は塗布部材である塗布ローラの断面図であり、図３は、薬液供給手段の一例を示す模式図である。以下、図面を参照しながら本発明を説明する。
【００１４】
除草剤塗布器は、後端で枢支され互いに揺動自在に枢支されている、第１、第２支持杆１１，１２と、第１、第２支持杆１１，１２の先端部にそれぞれ回転自在に支承されている塗布部材を構成する塗布ローラ２１，２２と、塗布ローラ２１，２２に除草剤を供給する薬液供給手段である往復ポンプ５と、除草剤を収容するための薬液タンク７とから構成されている。
【００１５】
第１、第２支持杆１１，１２は、その基部が互いに内方に向いて屈曲されており、第１支持杆１１の基端部と第２支持杆１２の基端部とは軸１３より枢支されていて、互いに揺動するように構成されており、第１支持杆１１と第２支持杆１２の中間部には、作業者が持って雑草に除草剤を塗布する作業を行うための把持部１４，１５が設けられている。
【００１６】
第１支持杆１１の先端部には、上下に一対の支持アーム３１，３２が固定されており、塗布ローラ２１を回転自在に支承する支承軸３３がナット３５により固定されている。第２支持杆１２の先端部には、上下に一対の穴１８，１９が穿設されており、前記穴１８，１９には可動アーム４１，４２が摺動可能に挿入されており、その端部には止め輪等の抜止手段４５，４６が施されており、可動アーム４１，４２には、塗布ローラ２２を回転自在に支承する支承軸３３がナット３５により固定されている。また、可動アーム４１，４２には外周にバネ４３，４４が設けられており、塗布ローラ２２を塗布ローラ２１の方に付勢している。
【００１７】
把持部１４、１５と塗布ローラ２１，２２との間には、軸１３を中心とする円弧状の案内機構が設けられており、この案内機構は、第１支持杆１１に取付けられた案内杆１６と、第２支持杆１２に取付けられた円筒状の案内筒１７とで構成されており、案内筒１７には長手方向に長溝４８が形成され、案内杆１６の先端には長手方向と直交する方向にピン４９が設けられており、案内筒１７内に案内杆１６が挿入されるとともにピン４９が長溝４８内に嵌め込まれていて第１支持杆１１と第２支持杆１２とが所定範囲内で揺動することができ、また、対向する塗布ローラ２１，２２の位置がずれないように構成されている。
【００１８】
図２に示す塗布ローラについて説明すると、塗布ローラ２１，２２は、アルミニウム等の金属又は合成樹脂で円筒形に形成されたローラ本体２３と、ローラ本体２３の外周に被着される塗布部２６と、支承軸３３とからなる。ローラ本体２３は、円筒形部分２４と該円筒形部分の両端にある側壁２５とから形成されており、円筒形部分２４には、多数の小孔２７が穿設されており、側壁２５でベアリング２８を介して支承軸３３に回転自在に軸支されている。
【００１９】
塗布部２６は、不織布等で構成されており、ローラ本体２３の内部に送られ、小孔２７を通過してきた除草剤を浸み込ませて担持する。塗布部は古くなったら取り替えられるように構成されている。
【００２０】
支承軸３３は、その一端が支持アーム３２（可動アーム４２）の穴に嵌挿されて支持されており、他端は、やや小径部に形成されており、その小径部にはネジが矢形成されており、支持アーム３１（可動アーム４１）の穴に小径部を嵌め込んでナット３５によって固定されるように構成されている。また、支承軸３３には、その一端から外周に通じる穴３６が開けられている。支承軸３３の外周には、端部が閉鎖され外周に小孔３８が多数形成されたパイプ３７が巻き付けられており、パイプ３７の端は、支承軸３３に設けられている前記穴３６から支承軸３３の外部に導出されており、後記する分岐パイプ７５，７６に接続されている。
【００２１】
支承軸３３は、上記の構成に限定されるものではなく、除草剤を不織布に供給することができる構成であればどのようなものでもよく、例えば、支持軸を、一端が閉鎖された中空の筒体で形成し、その外周に多数の小孔を開けるとともに、他端に、分岐パイプ７５，７６を接続する接続部が形成されたものでもよい。
【００２２】
薬液供給手段は、シリンダ５２内でピストンが往復動することによって除草剤を送り出す往復ポンプ５と往復ポンプ５のピストンロッド５３を押圧する作動体６とで構成されている。往復ポンプ５は、第１支持杆１１に固着されたコ型の機枠５１にボルトで取付けられており、ピストンロッド５３とシリンダ５２との間にはバネ５７が設けられており、ピストンロッド５３はバネ５７によって伸長するように付勢されている。
【００２３】
作動体６は、第２支持杆１２に固着され、内部に雌ネジが形成された基部筒体６１と、ピストンロッド５３に当接する作動部が先端に形成され、基部に雄ネジが形成された押圧体６２とで構成されている。押圧体６２は、その雄ネジが基部筒体６１の雌ネジに螺合されており、回動して基部筒体６１との螺合位置を変えることにより、押圧体６２の突出長さを調節することができ、第１支持杆１１と第１支持杆１２とを揺動したときのピストンロッド５３の往復作動距離を調節して往復ポンプ５の吐出量を変えることができる。また、機枠５１には、弁機構等が組み込まれた操作盤５４が取付けられており、操作盤５４には流量調節弁７７，７８を操作するための操作ハンドル（図示せず）が設けられている。
【００２４】
図３に基づいて、薬液供給手段による除草剤の供給について説明する。往復ポンプ５の吸入口５５には、薬液タンク７に接続された吸入パイプ７１が接続されており、また、往復ポンプ５の吐出口５６には、供給パイプ７２が接続されている。供給パイプ７２は、分岐パイプ７５と分岐パイプ７６とに分岐されており、分岐パイプ７５，７６のそれぞれが、支承軸３３から導出されているパイプ３７の端に接続されており、塗布ローラ２１，２２に除草剤が供給されるように構成されている。また、供給パイプ７２にはリリーフバルブ７４を介して戻しパイプ７３が薬液タンク７に接続されている。７７，７８は、塗布ローラ２１，２２へ供給する除草剤の流量を調節のための流量調節弁であり、機枠５１に固定された操作盤５４に設けられている操作ハンドルを操作することにより塗布ローラ２１，２２に供給する除草剤の量を調節することができる。
【００２５】
薬液タンク７は、合成樹脂で形成されており、所定量（例えば、５リットル）の除草剤を収納することができ、薬液タンク７には、往復ポンプ５に接続されている吸入パイプ７１と戻しパイプ７３とが接続されている。また、薬液タンク７には、バンド７９が取付けられており、バンド７９によって作業者の腰に薬液タンク７を保持することができる。薬液タンク７は作業者の腰に保持するものに限られるものではなく、少量の除草剤が収容できる小さい薬液タンクとする場合には、例えば、除草剤塗布器のフレームである支持杆の中に組み込んでもよいし、さらに、広範囲にわたって除草剤を塗布できるように大量の除草剤が収容できる大きな薬液タンクとする場合には、背負い式のタンクとすることができる。
【００２６】
上記実施の形態における除草剤塗布器を用いて行う除草作業について説明する。
作業者は、バンド７９により薬液タンク７を腰に取り付け、把持部１４，１５を持って生垣等から伸びる、ススキ、茅、篠竹等の雑草を塗布ローラ２１，２２の間に位置させた後、第１支持杆１１と第２支持杆１２を近接させて塗布ローラ２１，２２で雑草を挟み付ける。このとき、作動体６の押圧体６２によりピストンロッド５３が押圧され、往復ポンプ５の吐出口５６から除草剤が吐出され、供給パイプ７２、分岐パイプ７５，７６を介して除草剤がパイプ３７に送られ、送られた除草剤がパイプ３７の小孔３８から霧状に吹き出され、ローラ本体２３の小孔２７から塗布部２６に供給される。そして、塗布ローラ２１，２２で雑草を挟んだ状態で、塗布ローラ２１，２２を上に持ち上げ、雑草に除草剤を塗布する。このとき、塗布ローラ２２は、可動アーム４１，４２で支承されていてバネ４３，４４によって塗布ローラ２１の方に付勢されているので、塗布ローラ２１，２２で挟む雑草の量の多少にかかわらず十分に雑草を挟むことができ、雑草に除草剤を確実に塗り付けることができる。また、雑草が疎らに生えている場合には、作動体６の押圧体６２を回動して基部筒体６１からの突出長さを短くして往復ポンプ５の吐出量を少なくするが、それでも供給する除草剤が多い場合には、操作盤５４にある操作ハンドルによって流量調整弁７７，７８を絞って塗布ローラ２１，２２に供給される除草剤の量をさらに少なくすることができる。
【００２７】
ササ、篠竹、ススキ等宿根性植物やケヤキ等の樹木に下位葉から上位葉にかけて除草剤（ラウンドアップ３倍希釈液）を充分に塗布した場合には１年後には発芽せず完全に枯死させることができた。
【００２８】
以上説明した除草剤塗布装置は、好ましい一実施の形態であって、他に多くの変形例が存在する。例えば、図４に示すものは、第１支持杆１１と第２支持杆１２とを中間で枢支して揺動できるように構成し、その枢支部分に操作盤５４を設けたものである。
【００２９】
また、回転しない固定型の塗布部材について図５により説明する。固定型の塗布部材８は、第１、第２支持杆１１、１２の先端に設けられた支持アーム３１（可動アーム４１）と支持アーム３２（可動アーム４２）によって両端が支持されている支持部材８１と、支持部材８１に固着されている中空の保持体８３と塗布部８５とで構成されている。支持部材８１は、一端が閉鎖され他端には、分岐パイプ７５，７６を接続するための接続部が構成されており、一面には、多数の小孔８２が穿設されており、分岐パイプ７５，７６から送られる除草剤を保持体８３内に噴出するように構成されている。保持部材８３は、ほぼ直方体の形状をしており、支持部材８１に固着されており、塗布部８５が取り付けられる面には、多数の小孔８４が穿設されている。
【００３０】
さらに、上記実施の形態では、塗布ローラは、回転自在に支持されているが、駆動回転するように構成してもよく、その場合には、塗布ローラで雑草を挟むと、駆動回転する塗布ローラによって雑草がその挟まれた部分から先端まで塗布ローラ間に送り込まれて除草剤が塗布されるので、作業者が除草剤塗布器を上方に持ち上げる必要がなくなる。さらに、薬液供給手段を往復ポンプで構成したが、電動モータで駆動されるポンプ等でもよく、その際は、塗布ローラ２１，２２を接近させて雑草を挟むときに、近接スイッチによって電動モータが作動するように構成すればよく、さらに、薬液タンクを背負い式にする場合には、電動モータも背負い部に配置することができる。
【図面の簡単な説明】
【００３１】
【図１】本発明による除草剤塗布器の一態様を示す概略図。
【図２】塗布ローラの断面図。
【図３】薬液供給手段の一例を示す模式図。
【図４】除草剤塗布器の他の態様を示す概略図。
【図５】固定型の塗布部材の断面図。
【符号の説明】
【００３２】
１１…第１支持杆、１２…第２支持杆、１３…軸、２１，２２…塗布ローラ、５…往復ポンプ、７…薬液タンク
【図１】
2007117010.tif 000003
【図２】
2007117010.tif 000004
【図３】
2007117010.tif 000005
【図４】
2007117010.tif 000006
【図５】
2007117010.tif 000007